(57)【特許請求の範囲】
【請求項１】
ユーザ機器（ＵＥ）によるワイヤレス通信のための方法において、
前記ＵＥの１つ以上の特性を決定し、前記１つ以上の特性は、少なくとも、電力状態と最後に知られたロケーション情報とデータ使用しきい値とを含むことと、
前記ＵＥの決定した１つ以上の特性に少なくとも部分的に基づいて、前記ＵＥのロケーションを決定するためにアクティブ化する、前記ＵＥの複数のロケーション情報デバイスのうちの１つ以上のロケーション情報デバイスを選択し、前記１つ以上のロケーション情報デバイスを選択することは、前記ＵＥのロケーションを決定するために使用する、ワイヤレス広域ネットワーク（ＷＷＡＮ）データサービスを選択することを含むことと、
前記ＵＥの決定した１つ以上の特性に少なくとも部分的に基づいて、前記ＵＥのロケーションを決定するための１つ以上のパラメータを識別し、前記ＵＥのロケーションを決定するための１つ以上のパラメータを識別することは、前記決定したデータ使用しきい値に基づいて、前記ＷＷＡＮデータサービスを使用して前記ＵＥがロケーション情報を要求できる回数を調節することを含むことと、
前記選択した１つ以上のロケーション情報デバイスからのデータに基づいて、前記ＵＥのロケーションを決定し、前記データは、前記１つ以上のパラメータに少なくとも部分的に基づいて発生されることと、
前記ＵＥの決定したロケーションを報告することとを含む方法。
【請求項２】
前記ＵＥの１つ以上の特性を決定することは、バッテリーレベルまたは充電状態のうちの少なくとも１つを決定することを含む請求項１記載の方法。
【請求項３】
前記バッテリーレベルまたは充電状態のうちの少なくとも１つを決定することは、前記バッテリーレベルがしきい値を超えていることを決定すること、または、バッテリーが充電されていることを決定することを含み、
前記１つ以上のロケーション情報デバイスを選択することは、衛星ポジショニングシステム（ＳＰＳ）受信機をイネーブルすることを含む請求項２記載の方法。
【請求項４】
前記ＵＥの１つ以上の特性を決定することは、ロケーション情報に対する要求の頻度を決定することを含む請求項１記載の方法。
【請求項５】
前記ＵＥの１つ以上の特性を決定することは、前記ＵＥが現在、以前に知られていたロケーションにあることを決定することを含む請求項１記載の方法。
【請求項６】
前記１つ以上のパラメータは、ロケーション精度の許容可能なレベルを含む請求項１記載の方法。
【請求項７】
前記１つ以上のパラメータは、前記ＵＥが選択した１つ以上のロケーション情報デバイスからのロケーション情報を要求できる頻度を含む請求項１記載の方法。
【請求項８】
前記１つ以上のパラメータは、サービス期間の間に、前記ＵＥができるロケーション情報に対する要求の最大数を含む請求項１記載の方法。
【請求項９】
ユーザ機器（ＵＥ）によるワイヤレス通信のための装置において、
少なくとも１つのプロセッサと、
前記少なくとも１つのプロセッサに結合されているメモリとを具備し、
前記少なくとも１つのプロセッサは、
前記ＵＥの１つ以上の特性を決定し、前記１つ以上の特性は、少なくとも、電力状態と最後に知られたロケーション情報とデータ使用しきい値とを含むようにと、
前記ＵＥの決定した１つ以上の特性に少なくとも部分的に基づいて、前記ＵＥのロケーションを決定するためにアクティブ化する、前記ＵＥの複数のロケーション情報デバイスのうちの１つ以上のロケーション情報デバイスを選択し、前記１つ以上のロケーション情報デバイスを選択することは、前記ＵＥのロケーションを決定するために使用する、ワイヤレス広域ネットワーク（ＷＷＡＮ）データサービスを選択することを含むようにと、
前記ＵＥの決定した１つ以上の特性に少なくとも部分的に基づいて、前記ＵＥのロケーションを決定するための１つ以上のパラメータを識別し、前記ＵＥのロケーションを決定するための１つ以上のパラメータを識別することは、前記決定したデータ使用しきい値に基づいて、前記ＷＷＡＮデータサービスを使用して前記ＵＥがロケーション情報を要求できる回数を調節することを含むようにと、
前記選択した１つ以上のロケーション情報デバイスからのデータに基づいて、前記ＵＥのロケーションを決定し、前記データは、前記１つ以上のパラメータに少なくとも部分的に基づいて発生されるようにと、
前記ＵＥの決定したロケーションを報告するように構成されている装置。
【請求項１０】
前記少なくとも１つのプロセッサは、バッテリーレベルまたは充電状態のうちの少なくとも１つを決定するようにさらに構成されている請求項９記載の装置。
【請求項１１】
前記少なくとも１つのプロセッサは、
前記バッテリーレベルがしきい値を超えていることを決定するように、または、バッテリーが充電されていることを決定するように、
衛星ポジショニングシステム（ＳＰＳ）受信機をイネーブルすることより、前記１つ以上のロケーション情報デバイスを選択するようにさらに構成されている請求項１０記載の装置。
【請求項１２】
前記少なくとも１つのプロセッサは、ロケーション情報に対する要求の頻度を決定するようにさらに構成されている請求項９記載の装置。
【請求項１３】
前記少なくとも１つのプロセッサは、前記ＵＥが現在、以前に知られていたロケーションにあることを決定するようにさらに構成されている請求項９記載の装置。
【請求項１４】
前記１つ以上のパラメータは、ロケーション精度の許容可能なレベルを含む請求項９記載の装置。
【請求項１５】
前記１つ以上のパラメータは、前記ＵＥが選択した１つ以上のロケーション情報デバイスからのロケーション情報を要求できる頻度を含む請求項９記載の装置。
【請求項１６】
前記１つ以上のパラメータは、サービス期間の間に、前記ＵＥができるロケーション情報に対する要求の最大数を含む請求項９記載の装置。
【請求項１７】
ユーザ機器（ＵＥ）によるワイヤレス通信のための装置において、
前記ＵＥの１つ以上の特性を決定する手段と、前記１つ以上の特性は、少なくとも、電力状態と最後に知られたロケーション情報とデータ使用しきい値とを含み、
前記ＵＥの決定した１つ以上の特性に少なくとも部分的に基づいて、前記ＵＥのロケーションを決定するためにアクティブ化する、前記ＵＥの複数のロケーション情報デバイスのうちの１つ以上のロケーション情報デバイスを選択する手段と、前記１つ以上のロケーション情報デバイスを選択する手段は、前記ＵＥのロケーションを決定するために使用する、ワイヤレス広域ネットワーク（ＷＷＡＮ）データサービスを選択する手段を備え、
前記ＵＥの決定した１つ以上の特性に少なくとも部分的に基づいて、前記ＵＥのロケーションを決定するための１つ以上のパラメータを識別する手段と、前記ＵＥのロケーションを決定するための１つ以上のパラメータを識別する手段は、前記決定したデータ使用しきい値に基づいて、前記ＷＷＡＮデータサービスを使用して前記ＵＥがロケーション情報を要求できる回数を調節する手段を備え、
前記選択した１つ以上のロケーション情報デバイスからのデータに基づいて、前記ＵＥのロケーションを決定する手段と、前記データは、前記１つ以上のパラメータに少なくとも部分的に基づいて発生され、
前記ＵＥの決定したロケーションを報告する手段とを具備する装置。
【請求項１８】
前記ＵＥの１つ以上の特性を決定する手段は、バッテリーレベルまたは充電状態のうちの少なくとも１つを決定する手段を備える請求項１７記載の装置。
【請求項１９】
前記バッテリーレベルまたは充電状態のうちの少なくとも１つを決定する手段は、前記バッテリーレベルがしきい値を超えていることを決定する、または、バッテリーが充電されていることを決定する手段を備え、
前記ＵＥのロケーションを決定するためにアクティブ化する、複数のロケーション情報デバイスのうちの１つ以上のロケーション情報デバイスを選択する手段は、衛星ポジショニングシステム（ＳＰＳ）受信機をイネーブルする手段を備える請求項１８記載の装置。
【請求項２０】
前記ＵＥの１つ以上の特性を決定する手段は、ロケーション情報に対する要求の頻度を決定する手段を備える請求項１７記載の装置。
【請求項２１】
前記ＵＥの１つ以上の特性を決定する手段は、前記ＵＥが現在、以前に知られていたロケーションにあることを決定する手段を備える請求項１７記載の装置。
【請求項２２】
前記ＵＥのロケーションを決定するための１つ以上のパラメータを識別する手段は、ロケーション精度の許容可能なレベルを調節する手段を備える請求項１７記載の装置。
【請求項２３】
前記ＵＥのロケーションを決定するための１つ以上のパラメータを識別する手段は、前記ＵＥが選択した１つ以上のロケーション情報デバイスからのロケーション情報を要求できる頻度を調節する手段を備える請求項１７記載の装置。
【請求項２４】
ユーザ機器（ＵＥ）によるワイヤレス通信のためのコンピュータ読取可能記憶媒体において、
コードを具備し、
前記コードは、少なくとも１つのプロセッサにより実行されるときに、前記ＵＥに、
前記ＵＥの１つ以上の特性を決定させ、前記１つ以上の特性は、少なくとも、電力状態と最後に知られたロケーション情報とデータ使用しきい値とを含み、
前記ＵＥの決定させた１つ以上の特性に少なくとも部分的に基づいて、前記ＵＥのロケーションを決定するためにアクティブ化する、前記ＵＥの複数のロケーション情報デバイスのうちの１つ以上のロケーション情報デバイスを選択させ、前記１つ以上のロケーション情報デバイスを選択させることは、前記ＵＥのロケーションを決定するために使用する、ワイヤレス広域ネットワーク（ＷＷＡＮ）データサービスを選択させることを含み、
前記ＵＥの決定させた１つ以上の特性に少なくとも部分的に基づいて、前記ＵＥのロケーションを決定するための１つ以上のパラメータを識別させ、前記ＵＥのロケーションを決定するための１つ以上のパラメータを識別させることは、前記決定したデータ使用しきい値に基づいて、前記ＷＷＡＮデータサービスを使用して前記ＵＥがロケーション情報を要求できる回数を調節させることを含み、
前記選択させた１つ以上のロケーション情報デバイスからのデータに基づいて、前記ＵＥのロケーションを決定させ、前記データは、前記１つ以上のパラメータに少なくとも部分的に基づいて発生され、
前記ＵＥの決定させたロケーションを報告させるコンピュータ読取可能記憶媒体。
【発明の詳細な説明】
【関連出願の相互参照】
【０００１】
［０００１］
本願は、２０１４年９月２２日に出願された米国仮特許出願シリアル番号第６２／０５３，５９６号および２０１５年９月２１日に出願された米国出願シリアル番号第１４／８６０，６３４号の利益を主張し、その両方は、その全体が参照により本明細書に組み込まれている。
【分野】
【０００２】
［０００２］
本開示の態様は、一般的に、ワイヤレス通信システムに関連し、より具体的には、ロケーション情報を報告するための技術に関連する。
【背景】
【０００３】
［０００３］
音声、ビデオ、パケットデータ、メッセージング、ブロードキャスト等のような、さまざまな通信サービスを提供するために、ワイヤレス通信ネットワークが広範囲に配備されている。これらのワイヤレスネットワークは、利用可能なネットワークリソースを共有することによって複数のユーザをサポートできる多元接続ネットワークであってもよい。このような多元接続ネットワークの例には、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一搬送波ＦＤＭＡ（ＳＣ−ＦＤＭＡ）ネットワークが含まれる。
【０００４】
［０００４］
ワイヤレス通信ネットワークは、多数のユーザ機器（ＵＥ）に対する通信をサポートできる多数のｅノードＢを含んでいてもよい。ＵＥは、ダウンリンクおよびアップリンクを介してｅノードＢと通信してもよい。ダウンリンク（またはフォワードリンク）は、ｅノードＢからＵＥへの通信リンクを指し、アップリンク（またはリバースリンク）は、ＵＥからｅノードＢへの通信リンクを指す。
【０００５】
［０００５］
いくつかのケースでは、（例えば、ロケーション情報、ポジション情報、地理的ロケーション情報、ジオ−ロケーション情報等として呼ばれている）ＵＥの地理的ロケーションに関する情報を、さまざまなサービスおよびアプリケーションで使用してもよい。ジオ−ロケーションタグ付けまたはジオタグ付けとして知られている、収集した情報を地理的ロケーション情報に関係付けることは、収集したデータの価値を拡張するために使用してもよい。ジオ−ロケーションタグ付けにおいて使用してもよいロケーション情報は、さまざまなソースを通して集めてもよい。
【０００６】
［０００６］
いくつかのケースでは、ＵＥがそうする必要ない（例えば、ＵＥが実質的に静的である）場合でさえ、ＵＥは、ロケーション情報を規則的に決定し、報告するかもしれない。このような情報報告は、結果として、不必要な電力消費となり、バッテリー寿命を減少させる。
【概要】
【０００７】
［０００７］
ＵＥによる低電力ロケーション情報報告のための技術をここで説明する。
【０００８】
［０００８］
本開示の態様は、ユーザ機器によって実行される、低電力ロケーション情報提供を可能にするための方法を提供する。方法は、一般的に、ＵＥの１つ以上の特性を決定することと、ＵＥの決定した１つ以上の特性に基づいて、ロケーション情報報告の１つ以上のパラメータを調節することとを含む。本開示の態様は、ＵＥによるワイヤレス通信のための装置を提供する。装置は、一般的に、少なくとも１つのプロセッサと、少なくとも１つのプロセッサに結合されているメモリとを含み、少なくとも１つのプロセッサは、ＵＥの１つ以上の特性を決定するようにと、ＵＥの決定した１つ以上の特性に基づいて、ロケーション情報報告の１つ以上のパラメータを調節するように構成されている。本開示の態様は、ＵＥによるワイヤレス通信のための装置を提供する。装置は、一般的に、ＵＥの１つ以上の特性を決定する手段と、ＵＥの決定した１つ以上の特性に基づいて、ロケーション情報報告の１つ以上のパラメータを調節する手段とを含む。本開示の態様は、ＵＥによるワイヤレス通信のためのコンピュータ読取可能媒体を提供する。コンピュータ読取可能媒体は、一般的に、コードを含み、コードは、少なくとも１つのプロセッサにより実行されるときに、ＵＥに、ＵＥの１つ以上の特性を決定させ、ＵＥの決定した１つ以上の特性に基づいて、ロケーション情報報告の１つ以上のパラメータを調節させる。
【０００９】
［０００９］
本開示の態様は、さまざまな他の方法、装置、および、コンピュータ読取可能媒体も提供する。
【００１０】
［００１０］
本開示のさまざまな態様および特徴を、さらに詳細に以下で説明する。
【図面の簡単な説明】
【００１１】
【図１】［００１１］  図１は、本開示のある態様にしたがった、電気通信システムの例を概念的に図示したブロックダイヤグラムである。
【図２】［００１２］  図２は、本開示のある態様にしたがった、電気通信システムにおけるダウンリンクフレーム構造の例を概念的に図示したブロックダイヤグラムである。
【図３】［００１３］  図３は、本開示のある態様にしたがって構成されたｅノードＢおよびＵＥの設計を概念的に図示したブロックダイヤグラムである。
【図４】［００１４］  図４は、本開示のある態様にしたがった、例示的なサブフレームリソースエレメントマッピングを図示している。
【図５】［００１５］  図５は、本開示のある態様にしたがった、例示的なユーザ機器のブロックダイヤグラムを図示している。
【図６】［００１６］  図６は、本開示のある態様にしたがった、ユーザ機器により実行することができる例示的な動作を図示している。
【図７】［００１７］  図７は、本開示のある態様にしたがった、ロケーション情報を報告するための例示的な動作のフローダイヤグラムを図示している。
【図８】［００１８］  図８は、本開示のある態様にしたがった、衛星ポジショニングシステム（ＳＰＳ）を使用して、ロケーション決定を実行するための例示的な動作のフローダイヤグラムを図示している。
【図９】［００１９］  図９は、本開示のある態様にしたがった、ＵＥが動くスピードに基づいて、いつロケーション情報を報告するかを決定するための例示的な動作のフローダイヤグラムを図示している。
【詳細な説明】
【００１２】
［００２０］
本開示の態様は、ＵＥによってロケーション情報を報告するためのさまざまな技術を提供する。いくつかのケースでは、適切なときに、（例えば、グローバルナビゲーション衛星システム（ＧＮＳＳ）、ＧＰＳ、ＧＬＯＮＡＳＳ、北斗等のような、衛星ポジショニングシステム（ＳＰＳ）を介して取得される）ロケーション情報を、デバイスがどのように報告するか（またはデバイスが報告するか否か）を、不必要な電力消費を回避するように制御してもよい。例えば、そのバッテリーを使用して動作するＵＥは、ＵＥが外部電力にプラグインされている（充電している）ときよりも、より少ない頻度でまたはより低い精度でロケーション情報を報告してもよい。同様に、静的であるまたはゆっくりと動いているＵＥも、ＵＥが速く動いているときよりも、より少ない頻度またはより低い精度で報告してもよい。
【００１３】
［００２１］
添付の図面とともに以下で述べる詳細な説明は、さまざまなコンフィギュレーションの説明として意図されており、ここに説明する概念を実施できる唯一のコンフィギュレーションを表すようには意図されていない。詳細な説明は、さまざまな概念の完全な理解を提供することを目的として特定の詳細を含んでいる。しかしながら、これらの概念がこれらの特定の詳細なしに実施されてもよいことは、当業者に明らかだろう。いくつかの例において、このような概念を曖昧にすることを避けるために、よく知られた構造およびコンポーネントを、ブロックダイヤグラム形態で示している。
【００１４】
［００２２］
ＣＤＭＡや、ＴＤＭＡや、ＦＤＭＡや、ＯＦＤＭＡや、ＳＣ−ＦＤＭＡや、他のネットワークのような、さまざまなワイヤレス通信ネットワークに対して、ここで説明する技術を使用してもよい。用語「ネットワーク」および「システム」は、交換可能に使用されることが多い。ＣＤＭＡネットワークは、ユニバーサル地上無線アクセス（ＵＴＲＡ）、ｃｄｍａ２０００等のような無線テクノロジーを実現してもよい。ＵＴＲＡは、ワイドバンドＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６標準規格をカバーしている。ＴＤＭＡネットワークは、グローバルシステムフォーモバイルコミュニケーション（ＧＳＭ（登録商標））のような無線テクノロジーを実現してもよい。ＯＦＤＭＡネットワークは、進化型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）等のような無線テクノロジーを実現してもよい。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ（登録商標））およびＬＴＥ−アドバンスト（ＬＴＥ−Ａ）は、Ｅ−ＵＴＲＡを使用するＵＭＴＳの新たなリリースである。ＵＴＲＡや、Ｅ−ＵＴＲＡや、ＵＭＴＳや、ＬＴＥや、ＬＴＥ−Ａや、ＧＳＭは、「第３世代パートナーシッププロジェクト」（３ＧＰＰ）と名付けられている機関からの文書中に説明されている。ｃｄｍａ２０００およびＵＭＢは、「第３世代パートナーシッププロジェクト２」（３ＧＰＰ２）と名付けられている機関からの文書中に説明されている。簡略化のために、「ＬＴＥ」はＬＴＥとＬＴＥ−Ａの両方を指す。ここで説明する技術は、上述したワイヤレスネットワークおよび無線テクノロジーとともに、他のワイヤレスネットワークおよび無線テクノロジーに対して使用してもよい。明確にするために、本技術のある態様を、ＬＴＥに関して以下で説明し、以下の説明の多くにおいてＬＴＥ専門用語を使用している。
【００１５】
［００２３］
図１は、本開示の態様を実施できるワイヤレス通信ネットワーク１００を示している。例えば、ＵＥ１２０は、ここで説明するさまざまな技術を利用して、ロケーション情報を報告してもよい。
【００１６】
［００２４］
いくつかのケースでは、ネットワーク１００は、多数の進化型ノードＢ（ｅノードＢ）１１０および他のネットワークエンティティを含むＬＴＥネットワークであってもよい。ｅノードＢは、ＵＥと通信する局であってもよく、また、基地局、アクセスポイント等とも呼ばれることがある。ノードＢは、ＵＥと通信する局の別の例である。
【００１７】
［００２５］
各ｅノードＢ１１０は、特定の地理的エリアのための通信カバレッジを提供してもよい。３ＧＰＰにおいて、用語「セル」は、用語が使用される文脈に依存して、ｅノードＢのカバレッジエリア、および／または、このカバレッジエリアを担当しているｅノードＢサブシステムのカバレッジエリアを指すことがある。
【００１８】
［００２６］
ｅノードＢは、マクロセル、ピコセル、フェムトセル、および／または他のタイプのセルに対する通信カバレッジを提供する。マクロセルは、比較的大きい地理エリア（例えば、半径数キロメートル）をカバーし、サービス加入を有するＵＥによる無制限のアクセスを可能にすることができる。ピコセルは、比較的小さい地理エリアをカバーし、サービス加入を有するＵＥによる無制限のアクセスを可能にすることができる。フェムトセルは、比較的小さい地理的エリア（例えば、家）をカバーし、フェムトセルとの関係を有するＵＥ（例えば、閉じられた加入者グループ（ＣＳＧ）内におけるＵＥ、家にいるユーザのためのＵＥ、等）による制限されたアクセスを可能にすることができる。マクロセルのためのｅノードＢは、マクロｅノードＢとして呼ばれることがある。ピコセルのためのｅノードＢは、ピコｅノードＢとして呼ばれることがある。フェムトセルのためのｅノードＢは、フェムトｅノードＢまたはホームｅノードＢとして呼ばれることがある。図１中に示す例において、ｅノードＢ１１０ａ、１１０ｂおよび１１０ｃは、それぞれ、マクロセル１０２ａ、１０２ｂおよび１０２ｃに対するマクロｅノードであってもよい。ｅノードＢ１１０ｘは、ピコセル１０２ｘに対するピコｅノードＢであってもよい。ｅノードＢ１１０ｙおよび１１０ｚは、それぞれ、フェムトセル１０２ｙおよび１０２ｚに対するフェムトｅノードＢであってもよい。ｅノードＢは、１つまたは複数の（例えば、３つの）セルをサポートしてもよい。
【００１９】
［００２７］
ワイヤレスネットワーク１００はまた、中継局を含んでいてもよい。中継局は、アップストリーム局（例えば、ｅノードＢまたはＵＥ）からデータおよび／または他の情報の送信を受信し、ダウンストリーム局（例えば、ＵＥまたはｅノードＢ）にデータおよび／または他の情報の送信を送る局である。中継局はまた、他のＵＥに対する送信を中継するＵＥであってもよい。図１に示す例において、中継局１１０ｒは、ｅノードＢ１１０ａとＵＥ１２０ｒとの間の通信を促進するために、ｅノードＢ１１０ａおよびＵＥ１２０ｒと通信してもよい。中継局はまた、中継ｅノードＢ、中継器等として呼ばれることがある。
【００２０】
［００２８］
ワイヤレスネットワーク１００は、例えば、マクロｅノードＢ、ピコｅノードＢ、フェムトｅノードＢ、中継器等のような、異なるタイプのｅノードＢを含んでいる異種ネットワークであってもよい。これらの異なるタイプのｅノードＢは、ワイヤレスネットワーク１００における、異なる送信電力レベル、異なるカバレッジエリア、および、干渉に対する異なる影響を有しているかもしれない。例えば、マクロｅノードＢが高い送信電力レベル（例えば、２０ワット）を有しているかもしれないのに対し、ピコｅノードＢ、フェムトｅノードＢ、および中継器は、より低い送信電力レベル（例えば、１ワット）を有しているかもしれない。
【００２１】
［００２９］
ワイヤレスネットワーク１００は、同期または非同期動作をサポートしてもよい。同期動作では、ｅノードＢは、類似したフレームタイミングを有していてもよく、異なるｅノードＢからの送信は、時間的にほぼ整列される。非同期動作では、ｅノードＢは、異なるフレームタイミングを有していてもよく、異なるｅノードＢからの送信は、時間的に整列されてないかもしれない。ここで説明する技術は、同期動作と非同期動作の両方に使用してもよい。
【００２２】
［００３０］
ネットワーク制御装置１３０は、ｅノードＢのセットに結合され、これらのｅノードＢに対する調整および制御を提供してもよい。ネットワーク制御装置１３０は、バックホールを介して、ｅノードＢ１１０と通信してもよい。ｅノードＢ１１０はまた、例えば、ワイヤレスまたはワイヤラインバックホールを介して、直接または間接的に、互いに通信してもよい。
【００２３】
［００３１］
ＵＥ１２０（例えば、１２０ｘ、１２０ｙ等）は、ワイヤレスネットワーク１００全体を通して分散してもよく、各ＵＥは、静的または移動体であってもよい。ＵＥはまた、端末、移動局、加入者ユニット、局等として呼ばれることがある。ＵＥは、セルラ電話機（例えば、スマートフォン）、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、タブレット、ネットブック、スマートブック、ウルトラブック、カメラ、ゲーミングデバイス、ロボット、ドローン、モニタ、センサ、メータ、ウェアラブルデバイス（例えば、スマートウォッチ、スマートグラス、スマートクロージング、スマートリストバンド、スマートリング、スマートブレスレット）、等であってもよい。ＵＥは、マクロｅノードＢ、ピコｅノードＢ、フェムトｅノードＢ、中継器等と通信できてもよい。図１において、両側矢印の実線は、ＵＥと担当ｅノードＢとの間の所望の送信を示し、担当ｅノードＢは、ダウンリンクおよび／またはアップリンク上でＵＥを担当するように指定されたｅノードＢである。両側矢印の破線は、ＵＥとｅノードＢとの間の干渉する送信を示す。
【００２４】
［００３２］
ＬＴＥは、ダウンリンク上では直交周波数分割多重化（ＯＦＤＭ）を利用し、アップリンク上では単一搬送波周波数分割多重化（ＳＣ−ＦＤＭ）を利用する。ＯＦＤＭおよびＳＣ−ＦＤＭは、システム帯域幅を複数（Ｋ個）の直交副搬送波に区分してもよく、直交副搬送波は、通常、トーン、ビン等としても呼ばれる。各副搬送波は、データにより変調されてもよい。一般的に、変調シンボルは、ＯＦＤＭにより周波数ドメインで送られ、ＳＣ−ＦＤＭにより時間ドメインで送られる。隣接副搬送波間の間隔は固定されていてもよく、副搬送波の総数（Ｋ個）は、システム帯域幅に依存してもよい。例えば、副搬送波の間隔は、１５ｋＨｚであってもよく、（「リソースブロック」と呼ばれる）最小リソース割り振りは、１２個の副搬送波（または１８０ｋＨｚ）であってもよい。結果的に、公称ＦＦＴサイズは、１．２５、２．５、５、１０、または２０メガヘルツ（ＭＨｚ）のシステム帯域幅に対して、それぞれ、１２８、２５６、５１２、１０２４、または２０４８と等しくてもよい。システム帯域幅はまた、副帯域に区分されてもよい。例えば、副帯域は、１．０８ＭＨｚ（６個のリソースブロック）をカバーしてもよく、１．２５、２．５、５、１０または２０ＭＨｚのシステム帯域幅に対して、それぞれ１、２、４、８、または１６個の副帯域が存在してもよい。
【００２５】
［００３３］
図２は、本開示のある態様にしたがった、ＬＴＥにおいて使用されるダウンリンクフレーム構造を示している。ダウンリンクのための送信タイムラインは、無線フレームのユニットに区分してもよい。各無線フレームは、予め定められた持続期間（例えば、１０ミリ秒（ｍｓ））を有していてもよく、０〜９のインデックスを有する１０個のサブフレームに区分してもよい。各サブフレームは２つのスロットを含んでいてもよい。各無線フレームは、したがって、０〜１９のインデックスを有する２０個のスロットを含んでいてもよい。各スロットは、Ｌ個のシンボル期間を含んでいてもよく、例えば、（図２中で示しているように）ノーマルサイクリックプリフィックスに対して７個のシンボル期間、または、拡張サイクリックプリフィックスに対して１４個のシンボル期間を含んでいてもよい。各サブフレームにおける２Ｌ個のシンボル期間は、０〜２Ｌ−１のインデックスが割り当てられてもよい。利用可能な時間周波数リソースは、リソースブロックに区分してもよい。各リソースブロックは、１つのスロット中でＮ個の副搬送波（例えば、１２個の副搬送波）をカバーしてもよい。
【００２６】
［００３４］
ＬＴＥにおいて、ｅノードＢは、ｅノードＢ中の各セル対して１次同期信号（ＰＳＳ）および２次同期信号（ＳＳＳ）を送ってもよい。１次および２次同期信号は、図２中で示すように、通常のサイクリックプレフィックスを有する各無線フレームのサブフレーム０および５のそれぞれにおけるシンボル期間６および５中で、それぞれ、送られてもよい。同期信号は、セル検出および獲得のために、ＵＥによって使用されてもよい。ｅノードＢは、サブフレーム０のスロット１中のシンボル期間０から３において物理ブロードキャストチャネル（ＰＢＣＨ）を送ってもよい。ＰＢＣＨは、あるシステム情報を搬送してもよい。
【００２７】
［００３５］
図２では、第１のシンボル期間全体において描かれているが、ｅノードＢは、各サブフレームの第１のシンボル期間の一部において物理制御フォーマットインジケータチャネル（ＰＣＦＩＣＨ）を送ってもよい。ＰＣＦＩＣＨは、制御チャネルに対して使用されるシンボル期間の数（Ｍ個）を伝えてもよく、ここで、Ｍは、１、２、または３と等しくてもよく、サブフレーム毎に変化させてもよい。Ｍはまた、例えば、１０個未満のリソースブロックを有する小さなシステム帯域幅に対して、４と等しくてもよい。図２中に示す例では、Ｍ＝３である。ｅノードＢは、各サブフレームの最初のＭ個のシンボル期間において（図２においてＭ＝３）、物理ＨＡＲＱインジケータチャネル（ＰＨＩＣＨ）と物理ダウンリンク制御チャネル（ＰＤＣＣＨ）を送ってもよい。ＰＨＩＣＨは、ハイブリッド自動反復要求（ＨＡＲＱ）をサポートするための情報を伝えてもよい。ＰＤＣＣＨは、ＵＥのためのアップリンクおよびダウンリンクリソース割り振りに関する情報とアップリンクチャネルに対する電力制御情報とを伝えてもよい。図２における第１のシンボル期間には示していないが、ＰＤＣＣＨおよびＰＨＩＣＨもまた、第１のシンボル期間に含まれることを理解すべきである。同様に、ＰＨＩＣＨおよびＰＤＣＣＨはまた、図２ではそのようには示していないが、第２および第３のシンボル期間の両方にある。ｅノードＢは、各サブフレームの残りのシンボル期間において、物理ダウンリンク共有チャネル（ＰＤＳＣＨ）を送ってもよい。ＰＤＳＣＨは、ダウンリンク上でのデータ送信のためにスケジューリングされたＵＥのためのデータを伝えてもよい。ＬＴＥ中のさまざまな信号およびチャネルは、「進化型ユニバーサル地上無線アクセス（Ｅ−ＵＴＲＡ）；物理チャネルおよび変調」と題される、３ＧＰＰ  ＴＳ  ３６．２１１において説明されており、これは公に入手可能である。
【００２８】
［００３６］
ｅノードＢは、ｅノードＢによって使用されるシステム帯域幅の中心１．０８ＭＨｚで、ＰＳＳ、ＳＳＳ、およびＰＢＣＨを送ってもよい。ｅノードＢは、これらのチャネルが送られる各シンボル期間において、システム帯域幅全体に渡って、ＰＣＦＩＣＨおよびＰＨＩＣＨを送ってもよい。ｅノードＢは、システム帯域幅のある一部分において、ＵＥのグループにＰＤＣＣＨを送ってもよい。ｅノードＢは、システム帯域幅の特定の一部分において、特定のＵＥにＰＤＳＣＨを送ってもよい。ｅノードＢは、すべてのＵＥに対してブロードキャスト方法でＰＳＳ、ＳＳＳ、ＰＢＣＨ、ＰＣＦＩＣＨ、およびＰＨＩＣＨを送ってもよく、特定のＵＥに対してユニキャスト方法でＰＤＣＣＨを送ってもよく、特定のＵＥに対してユニキャスト方法でＰＤＳＣＨも送ってもよい。
【００２９】
［００３７］
多数のリソースエレメントが各シンボル期間において利用可能であってもよい。各リソースエレメントは、１つのシンボル期間において１つの副搬送波をカバーしてもよく、１つの変調シンボルを送るために使用してもよく、変調シンボルは、実数値または複素数値であってもよい。各シンボル期間における基準信号に対して使用しないリソースエレメントは、リソースエレメントグループ（ＲＥＧ）中に配置してもよい。各ＲＥＧは、１つのシンボル期間中に４つのリソースエレメントを含んでいてもよい。ＰＣＦＩＣＨは、４つのＲＥＧを占有してもよく、それらは、シンボル期間０において、周波数に渡ってほぼ均等に間隔が空けられていてもよい。ＰＨＩＣＨは、３つのＲＥＧを占有してもよく、それらは、１つ以上の構成可能なシンボル期間において、周波数に渡って拡散させてもよい。例えば、ＰＨＩＣＨに対する３つのＲＥＧは、すべてシンボル期間０に属してもよく、または、シンボル期間０、１および２において拡散させてもよい。ＰＤＣＣＨは、９、１８、３２、または６４個のＲＥＧを占有してもよく、これらは、最初のＭ個のシンボル期間において、利用可能なＲＥＧから選択してもよい。ＲＥＧのある組み合せが、ＰＤＣＣＨに対して許容されてもよい。
【００３０】
［００３８］
ＵＥは、ＰＨＩＣＨおよびＰＣＦＩＣＨに対して使用される特定のＲＥＧを知っていてもよい。ＵＥは、ＰＤＣＣＨに対するＲＥＧの異なる組み合わせをサーチしてもよい。サーチする組み合わせの数は典型的に、ＰＤＣＣＨに対する許容された組み合わせの数よりも少ない。ｅノードＢは、ＵＥがサーチするであろう組み合わせの任意のものにおいてＰＤＣＣＨをＵＥに送ってもよい。
【００３１】
［００３９］
ＵＥは、複数のｅノードＢのカバレッジ内にあってもよい。これらのｅノードＢのうちの１つが、ＵＥを担当するために選択されてもよい。担当ｅノードＢは、受信電力、パス損失、信号対雑音比（ＳＮＲ）、等のようなさまざまな基準に基づいて選択してもよい。
【００３２】
［００４０］
図３は、基地局／ｅノードＢ１１０とＵＥ１２０との設計のブロックダイヤグラム３００を示しており、基地局／ｅノードＢ１１０とＵＥ１２０は、図１中の基地局／ｅノードＢのうちの１つとＵＥのうちの１つとであってもよい。基地局１１０はアンテナ３３４ａ〜３３４ｔを装備していてもよく、ＵＥ１２０はアンテナ３５２ａ〜３５２ｒを装備していてもよい。
【００３３】
［００４１］
基地局１１０において、送信プロセッサ３２０は、データソース３１２からデータを、制御装置／プロセッサ３４０から制御情報を受け取ってもよい。制御情報は、ＰＢＣＨ、ＰＣＦＩＣＨ、ＰＨＩＣＨ、ＰＤＣＣＨ等に対するものであってもよい。データは、ＰＤＳＣＨ等に対するものであってもよい。プロセッサ３２０は、データおよび制御情報を処理（たとえば、エンコードおよびシンボルマッピング）して、それぞれ、データシンボルおよび制御シンボルを取得してもよい。プロセッサ３２０はまた、例えば、ＰＳＳ、ＳＳＳに対する基準シンボルと、セル特有の基準信号とを発生させてもよい。送信（ＴＸ）複数入力複数出力（ＭＩＭＯ）プロセッサ３３０は、適用可能な場合に、データシンボル、制御シンボル、および／または、基準シンボル上で、空間処理（例えば、プリコーディング）を実行してもよく、変調器（ＭＯＤ）３３２ａ〜３３２ｔに出力シンボルストリームを提供してもよい。各変調器３３２は、（例えば、ＯＦＤＭ等のために）それぞれの出力シンボルストリームを処理して、出力サンプルストリームを取得してもよい。各変調器３３２はさらに、出力サンプルストリームを処理（例えば、アナログに変換、増幅、フィルタリング、およびアップコンバート）して、ダウンリンク信号を取得してもよい。変調器３３２ａ〜３３２ｔを通るダウンリンク信号はそれぞれ、アンテナ３３４ａ〜３３４ｔ介して送信されてもよい。
【００３４】
［００４２］
ＵＥ１２０において、アンテナ３５２ａ〜３５２ｒは、基地局１１０からダウンリンク信号を受信し、受信した信号を、それぞれ、復調器（ＤＥＭＯＤ）３５４ａ〜３５４ｒに提供してもよい。各復調器３５４は、それぞれの受信した信号を調整（たとえば、フィルタリング、増幅、ダウンコンバート、およびデジタル化）して、入力サンプルを取得してもよい。各復調器３５４はさらに、（例えば、ＯＦＤＭ等のために）入力サンプルを処理して、受信シンボルを取得してもよい。ＭＩＭＯ検出器３５６は、すべての復調器３５４ａ〜３５４ｒから受信したシンボルを取得し、適用可能な場合、受信したシンボルにおいてＭＩＭＯ検出を実行し、検出したシンボルを提供してもよい。受信プロセッサ３５８は、検出したシンボルを処理（たとえば、復調、デインタリーブ、およびデコード）し、ＵＥ１２０に対してデコードされたデータをデータシンク３６０に供給し、デコードされた制御情報を制御装置／プロセッサ３８０に提供してもよい。
【００３５】
［００４３］
アップリンク上で、ＵＥ１２０において、送信プロセッサ３６４は、データソース３６２から（例えば、ＰＵＳＣＨに対する）データを、および、制御装置／プロセッサ３８０から（例えば、ＰＵＣＣＨに対する）制御情報を、受信して処理してもよい。送信プロセッサ３６４はまた、基準信号のための基準シンボルを発生させてもよい。送信プロセッサ３６４からのシンボルは、適用可能な場合、ＴＸ  ＭＩＭＯプロセッサ３６６によってプリコーディングされ、（例えば、ＳＣ−ＦＤＭ、等のために）復調器３５４ａ〜３５４ｒによってさらに処理され、基地局１１０に送信されてもよい。基地局１１０において、ＵＥ１２０からのアップリンク信号はアンテナ３３４によって受信され、変調器３３２によって処理され、適用可能な場合、ＭＩＭＯ検出器３３６によって検出され、受信プロセッサ３３８によってさらに処理され、ＵＥ１２０によって送られた、デコードされたデータおよび制御情報を取得してもよい。受信プロセッサ３３８は、デコードされたデータをデータシンク３３９に提供し、デコードされた制御情報を制御装置／プロセッサ３４０に提供してもよい。
【００３６】
［００４４］
制御装置／プロセッサ３４０および３８０は、それぞれ、基地局１１０およびＵＥ１２０における動作を指示してもよい。制御装置／プロセッサ３４０、ならびに／あるいは、基地局１１０における他のプロセッサ、制御装置、または、モジュールは、ここで説明する技術のためのさまざまな動作またはプロセスの実行を実施または指示してもよい。制御装置／プロセッサ３８０、ならびに／あるいは、ＵＥ１２０における他のプロセッサ、制御装置、または、モジュールは、例えば、図６中に図示した動作、および／または、ここで説明する技術のための他の動作またはプロセスの実行も、実施または指示してもよい。メモリ３４２および３８２は、それぞれ、基地局１１０およびＵＥ１２０のためのデータおよびプログラムコードを記憶してもよい。スケジューラ３４４は、ダウンリンクおよび／またはアップリンク上でのデータ送信のためにＵＥをスケジューリングしてもよい。
【００３７】
［００４５］
１つのコンフィギュレーションにおいて、ＵＥ１２０は、ＵＥの１つ以上の特性を決定する手段と、ＵＥの決定した１つ以上の特性に基づいて、ロケーション情報報告の１つ以上のパラメータを調節する手段とを含んでいる。１つの態様において、前述の手段は、前述の手段によって規定された機能を実行するように構成された、制御装置／プロセッサ３８０、メモリ３８２、受信プロセッサ３５８、送信プロセッサ３６４、または、これらの組み合わせであってもよい。別の態様において、前述の手段は、例えば、ワイヤレスデバイス５００のモジュールまたはコンポーネントのような、前述の手段によって規定された機能を実行するように構成された任意のモジュールまたは装置であってもよい。
【００３８】
［００４６］
図４は、本開示のある態様にしたがった、ノーマルサイクリックプリフィックスを有する、ダウンリンクのための２つの例示的なサブフレームフォーマット４１０および４２０を示している。ダウンリンクに対して利用可能な時間周波数リソースは、リソースブロックに区分されてもよい。各リソースブロックは、１つのスロット中で１２個の副搬送波をカバーしており、多数のリソースエレメントを含んでいてもよい。各リソースエレメントは、１つのシンボル期間中の１つの副搬送波をカバーしており、１つの変調シンボルを送るために使用してもよく、変調シンボルは、実数値であっても、または、複素数値であってもよい。
【００３９】
［００４７］
サブフレームフォーマット４１０は、２本のアンテナを装備しているｅＮＢに対して使用してもよい。シンボル期間０、４、７、および１１中で、アンテナ０および１からＣＲＳ（セル特有基準信号）を送信してもよい。基準信号は、送信機および受信機により事前に知られている信号であり、パイロットとして呼ばれることもある。ＣＲＳは、例えば、セル識別子（ＩＤ）に基づいて発生された、セルに対して特有の基準信号である。図４において、ラベルＲａを有する所定のリソースエレメントに対して、アンテナａから、そのリソースエレメント上で変調シンボルを送信してもよく、他のアンテナからは、そのリソースエレメント上で変調シンボルは送信されないかもしれない。サブフレームフォーマット４２０は、４本のアンテナを装備しているｅＮＢに対して使用してもよい。ＣＲＳは、シンボル期間０、４、７、および１１中で、アンテナ０および１から送信してもよく、シンボル期間１および８中では、アンテナ２および３から送信してもよい。両方のサブフレームフォーマット４１０および４２０に対して、ＣＲＳは、均等に間隔を空けた副搬送波上で送信してもよく、これはセルＩＤに基づいて決定してもよい。異なるｅＮＢが、それらのセルＩＤに依存して、同じ副搬送波上または異なる副搬送波上で、それらのＣＲＳを送信してもよい。両方のサブフレームフォーマット４１０および４２０に対して、ＣＲＳに対して使用されないリソースエレメントは、データ（例えば、トラフィックデータ、制御データ、および／または他のデータ）を送信するために使用してもよい。
【００４０】
［００４８］
ＬＴＥにおける、ＰＳＳ、ＳＳＳ、ＣＲＳ、およびＰＢＣＨは、「進化型ユニバーサル地上無線アクセス（Ｅ−ＵＴＲＡ）；物理チャネルおよび変調」と題されている３ＧＰＰ  ＴＳ  ３６．２１１中で説明されており、これは公に入手可能である。
【００４１】
［００４９］
ＬＴＥにおけるＦＤＤに関するダウンリンクおよびアップリンクのそれぞれのために、インターレース構造を使用してもよい。例えば、０ないしＱ−１のインデックスを有するＱ個のインターレースを規定してもよく、Ｑは、４、６、８、１０、または他の何らかの値と等しくてもよい。各インターレースは、Ｑ個のフレームだけ間隔を空けて離されているサブフレームを含んでいてもよい。特に、インターレースｑは、サブフレームｑ、ｑ＋Ｑ、ｑ＋２Ｑ等を含んでいてもよく、ここで、ｑ∈｛０，．．．，Ｑ−１｝である。
【００４２】
［００５０］
ワイヤレスネットワークは、ダウンリンクおよびアップリンク上でのデータ送信に対して、ハイブリッド自動再送（ＨＡＲＱ）をサポートしてもよい。ＨＡＲＱに対して、受信機（例えば、ＵＥ）によりパケットが正しくデコードされるまで、または、他の何らかの終了条件に直面するまで、送信機（例えば、ｅＮＢ）は、パケットの１つ以上の送信を送ってもよい。同期ＨＡＲＱに対して、パケットのすべての送信は、単一インターレースのサブフレーム中で送られてもよい。非同期ＨＡＲＱに対して、パケットの各送信は、任意のサブフレーム中で送られてもよい。
【００４３】
［００５１］
ＵＥは、複数のｅＮＢのカバレッジエリア内に位置付けられていてもよい。これらのｅＮＢのうちの１つが、ＵＥを担当するように選択されてもよい。担当ｅＮＢは、受信信号強度、受信信号品質、パス損失等のような、さまざまな基準に基づいて選択されてもよい。受信信号品質は、信号対干渉プラス雑音比（ＳＩＮＲ）、または、基準信号受信品質（ＲＳＲＱ）、または、他の何らかのメトリックによって定量化してもよい。ＵＥが１つ以上の干渉ｅＮＢからの高い干渉を観測するかもしれない、支配的な干渉シナリオにおいて、ＵＥは、動作するかもしれない。
【００４４】
［００５２］
図５は、本開示の態様にしたがった、ロケーション情報報告を可能にする動作を実行するかもしれない、例示的なワイヤレスデバイス５００のブロックダイヤグラムを図示している。ワイヤレスデバイス５００は、例えば、図１中に示すＵＥ１２０の１つのインプリメンテーションであってもよい。
【００４５】
［００５３］
ワイヤレスデバイス５００は、ワイヤレスデバイス５００の動作を制御する１つ以上の制御装置／プロセッサ５０４を含んでいてもよい。１つ以上の制御装置／プロセッサ５０４は、図６中で図示した機能ブロック、および／または、ここで説明したさまざまな技術に対応する他のプロセスの実行を実施または指示してもよい。
【００４６】
［００５４］
制御装置／プロセッサ５０４はまた、中央処理ユニット（ＣＰＵ）として呼ばれることがある。メモリ５０６は、リードオンリーメモリ（ＲＯＭ）とランダムアクセスメモリ（ＲＡＭ）の両方を含んでいてもよく、命令およびデータを制御装置／プロセッサ５０４に提供する。メモリ５０６の一部分はまた、不揮発性ランダムアクセスメモリ（ＮＶＲＡＭ）を含んでいてもよい。制御装置／プロセッサ５０４は典型的に、メモリ５０６内に記憶されているプログラム命令に基づいて、論理動作および演算動作を実行する。メモリ５０６中の命令は、ここで説明する方法を実現するように実行可能であってもよい。
【００４７】
［００５５］
図示したように、ワイヤレスデバイス５００は、複数のＲＡＴ（無線アクセステクノロジー）無線５１０と５１２とを含むトランシーバ５１４も含んでいてもよい。いくつかのケースでは、無線５１０は、ＬＴＥ無線に対応していてもよい一方で、無線５１２は、衛星ポジショニングシステム（ＳＰＳ）（例えば、グローバルナビゲーション衛星システム（ＧＮＳＳ））受信機に対応していてもよい。
【００４８】
［００５６］
ワイヤレスデバイス５００は、信号検出器５１８も備えていてもよく、信号検出器５１８は、トランシーバ５１４によって受信される信号のレベルを検出して定量化しようとするために使用してもよい。信号検出器５１８は、総エネルギー、シンボル当たりの副搬送波毎のエネルギー、電力スペクトル密度、および、他の信号として、このような信号を検出してもよい。ワイヤレスデバイス５００は、信号を処理する際に使用するためのデジタル信号プロセッサ（ＤＳＰ）５２０と、ＵＥ５００のコンポーネントを結合するためのバス５２２も備えていてもよい。
【００４９】
［００５７］
上記で着目したように、本開示の態様は、ユーザ機器（ＵＥ）によってロケーション情報を決定して、報告するときに、電力消費を低減することを手助けできる技術を提供する。以下でより詳細にこれから説明するように、いつ、どのように、このような情報が報告されるかは、ＵＥの１つ以上の特性に依存してもよい。
【００５０】
［００５８］
多くのアプリケーションに対して、サービスおよび機能性の提供は、少なくとも部分的に、地理的ロケーションを使用してもよい。このようなアプリケーションは、ジオ−ロケーションタグ付け（例えば、地理的ロケーションを１つ以上のデータに関係付けること）を使用して、データの精度を改善し、収集したデータの後処理値を向上させ、ＵＥ、ネットワーク、または、その両方の性能の最適化をしてもよい。さまざまなアプリケーションおよびサービスは、ジオ−ロケーションタグ付けされたデータの使用から利益を得てもよい。これらのアプリケーションおよびサービスは、例えば、サービス選択およびキャンプ、サービス外および無線リンク故障復旧、ネットワーク計画および性能分析、ドライブテスト（ｅＭＤＴ）機能性の拡張された最小化を含んでいてもよい。
【００５１】
［００５９］
ＵＥによる情報のジオーロケーションタグ付けをイネーブルするために、ＵＥは、複数のロケーション情報ソースを使用して、ＵＥのロケーションを決定してもよい。例えば、グローバルナビゲーション衛星システム（ＧＮＳＳ）（例えば、グローバルポジショニングシステム、（ＧＰＳ）、ＧＬＯＮＡＳＳ、ガリレオ、北斗等）のような、衛星ポジショニングシステム（ＳＰＳ）から、（例えば、ロケーションサーバまたはワイヤレスローカルエリアネットワーク（ＷＬＡＮ）ベースのロケーション情報からの）ネットワーク提供ロケーション情報を使用する地域衛星システム等から、またはセンサエレメント（例えば動き検出器またはジャイロスコープ）から、ＵＥはロケーション情報を取得してもよい。ＵＥのロケーションを決定するために使用できる各デバイスは、異なる電力使用プロフィールを有していてもよく、例えば、ＳＰＳ受信機は、比較的高い電力量を使用するかもしれない一方で、センサエレメントは、比較的低い電力量を使用するかもしれない。高電力使用を有するロケーション情報ソースを使用することは、いくつかの状況（例えば、ＵＥがライン電力または完全に充電されたバッテリー上で動作するとき）では適しているかもしれないが、他の状況（例えば、ＵＥがほぼ完全に放電されているバッテリー上で動作するとき）では、適していないかもしれない。
【００５２】
［００６０］
ＵＥのロケーションと利用可能なサービスに基づいて、ＵＥは、１以上のソースを使用して、ロケーション情報を検索または決定してもよい。各ロケーション情報ソースは、電力使用とロケーション決定の信頼性または精度との間にトレードオフを課してもよい。例えば、ＳＰＳ（例えば、ＧＰＳ）導出ロケーション情報を使用することは、高電力使用を伴うかもしれないが高い精度のロケーション情報である一方で、センサエレメントからロケーション情報を導出することは、ＵＥのロケーションを決定する際に、低電力使用でより低い精度を伴うかもしれない。
【００５３】
［００６１］
いくつかのサービスは、長い実行期間を有しているかもしれず、これは、サービスの動作タイムラインの間、複数のロケーションクエリ要求を伴う。例えば、ｅＭＤＴでは、時間期間に渡って、ネットワークカバレッジまたは性能に関連する情報を送信するようにＵＥはネットワークによって要求され、ＵＥは、複数のカバレッジまたは性能の測定を実行し、各測定をロケーションに相関させ、ジオ−ロケーションタグ付けされた情報をネットワークに送信してもよい。各測定に対してロケーションを決定することは、ＵＥに対する電力の影響を増加させるかもしれず、特に、ＵＥが、高電力使用デバイスまたは方法を使用してロケーション情報を決定する場合、データ収集のような活動において協力するためのユーザの意欲に影響を及ぼすかもしれない。
【００５４】
［００６２］
さらに、いくつかのロケーションでは、ＳＰＳロケーション情報は、常に利用可能でないかもしれず、または、取得するのに多くの時間量がかかるかもしれない。例えば、ＵＥは、建物の内部に、または、または視線障害物を有するエリア（例えば、ＵＥが高い建物によって囲まれているダウンタウン環境）中に位置しており、ＵＥは、ＵＥのロケーションを決定するために、十分な数のＳＰＳ衛星から信号を取得することができないかもしれず、または、十分な数のＳＰＳ衛星からの信号を取得するのに長い時間を費やすかもしれない。しかしながら、ＵＥは、ＳＰＳ受信機からロケーション情報を継続的に要求するかもしれず、これは、電力使用を増加させる（これに対応してバッテリー寿命を減少させる）かもしれない。ＳＰＳ受信機からの情報に対する複数の要求と、ＳＰＳ受信機からロケーション情報を取得するための長い活動時間とが、サービス電力フィンガープリントを増加させる。
【００５５】
［００６３］
図６は、本開示の態様にしたがって、例えば、ＵＥによって実行されてもよい例示的な動作６００を図示している。動作６００は、６０２において開始し、ＵＥがＵＥの１つ以上の特性を決定してもよい。６０４において、ＵＥは、ＵＥの決定した１つ以上の特性に基づいて、ロケーション情報報告の１つ以上の特性を調節する。
【００５６】
［００６４］
ある態様にしたがうと、ＵＥは、利用可能な情報を使用して、異なるサービスに対してロケーション情報を決定することに関する電力影響を制御してもよい。例えば、ＵＥが更新されたＳＰＳロケーション情報を要求するときを、ＵＥの最後に知られたロケーションについての情報を、報告されたロケーション情報に関する精度または信頼性しきい値（または制約）についての情報をＵＥが再使用できるときを、（例えば、応答が受信されない場合）提示したロケーション情報要求をキャンセルするときを、または、ロケーション情報の報告をオプトアウトするとき等を、決定するために、利用可能な情報を使用してもよい。
【００５７】
［００６５］
ある態様にしたがうと、電力状態に基づいて、いつ、どのように、ロケーション情報を集めるまたは報告するかをＵＥは決めてもよい。例えば、利用可能なバッテリーレベル、充電ステータス、または、両方に依存して、ロケーション情報についての確定を得るために、ＵＥは、ＧＰＳ（または他のタイプのＳＰＳデバイス）エンジンに携わるか否かを決めてもよい。いくつかのケースでは、ＳＰＳエンジンに携わらないと決めることは、ＳＰＳエンジンの電源を切断すること、または、ＳＰＳエンジンを低電力状態に置くことを含んでいてもよい。ＵＥがライン電力に接続されず、ＵＥのバッテリーレベルがしきい値を下回る場合、ＵＥは、より低い電力使用プロフィールを有するデバイスを使用して、ロケーション情報を決定してもよい。ある態様にしたがうと、このような決定はさらに、ＵＥの最後に知られたロケーションに基づいていてもよい。例えば、ＵＥが空港に位置付けられている場合、電力を節約するためにＵＥがライン電力に接続されていたとしても、ＵＥは、ロケーション情報を取得するためにＳＰＳデバイスを使用すべきでないと決定し、それにより、フライトの間にＵＥが使用できる時間量を増加させてもよい。このようなケースでは、ＵＥは、ロケーション情報を決定するためにより低い電力使用を有する他のデバイスを選択でき、または、ロケーション情報を報告すべきでないことを決定できる。
【００５８】
［００６６］
ある態様にしたがうと、サービスがロケーション情報を要求することができる頻度をＵＥは制御してもよい。例えば、特定のサービスがどのくらいの頻度でＳＰＳデバイスからのロケーション情報を要求してもよいか、あるいは、サービスがどのくらいの頻度で１つ以上のセンサ（例えば、動き検出器センサ、ジャイロスコープ）からの、または、ネットワークフィードバック（例えば、１つのセルから別のセルへのハンドオーバーの頻度またはドロップシフト）からの、ロケーション情報を要求してもよいかを、ＵＥは制御してもよい。
【００５９】
［００６７］
ある態様にしたがうと、ロケーション情報報告のパラメータが基づいていてもよい特性は、サービス期間の間にロケーション情報が要求される回数であってもよい。例えば、サービス期間の間にどれだけ多くのクエリを提示することができるかについて、特定のサービスを限定することができる。
【００６０】
［００６８］
ある態様にしたがうと、ＵＥは、ロケーション情報を決定するために、例えば、ワイヤレス広域ネットワーク（ＷＷＡＮ）ベースロケーション情報報告（例えば、支援型ＧＰＳ（Ａ−ＧＰＳ））を使用するか否かを、データ使用しきい値を使用して、決定してもよい。例えば、ＵＥがデータ使用キャップまたはしきい値で動作している場合、ＷＷＡＮベースのロケーション情報が制限される（例えば、わずかに使用される）またはディセーブルされてもよいことを、ＵＥは決定してもよい。
【００６１】
［００６９］
ある態様にしたがうと、ロケーション情報に対する許容可能な精度／信頼性レベルを調節することが、（例えば、ＵＥによって）実行されてもよい。ある態様にしたがうと、ロケーション情報報告のパラメータは、ロケーション情報に対する許容可能な精度または信頼性レベルを備えていてもよい。ターゲット電力フィンガープリント、ＵＥ条件、サービスの履歴およびサービスパラメータに依存して、ＵＥは、ロケーション情報に対する精度および／または信頼性の許容可能なレベルを調節してもよい。許容可能なロケーション精度および／または信頼性レベルは、例えば、ロケーション情報を要求するサービスのタイプに、要求するサービスの優先度メトリックに、ＵＥの電力ステータス（例えば、バッテリーレベルおよび／または充電状態）に、以前のロケーション情報要求の数または頻度に、あるいは、合計または予想されるサービス時間に基づいて決定してもよい。
【００６２】
［００７０］
ロケーション情報報告のためのパラメータは、別々に、または任意の数のパラメータの組み合わせで使用して、ＵＥがロケーション情報を決定して報告するために使用できる１つ以上のロケーション情報ソースを決定してもよい。１組のパラメータの条件を使用して、ロケーション情報報告の１つ以上のパラメータの決定または調節における他のパラメータの影響を調節してもよい。例えば、高いバッテリーレベルの条件は、ＵＥがＳＰＳベースのロケーション決定および報告のために行う許可される要求の頻度または数を増加させることができる。ＵＥは、ＳＰＳ確定のための新しい要求を提示するよりむしろ、以前に知られているロケーションに依存するように決めることができる。最良の利用可能なロケーション情報は、例えば、他のサービスがＳＰＳ確定に対する要求をしたときに更新されてもよい。
【００６３】
［００７１］
いくつかのケースでは、最良の利用可能なポジション（ＢＡＰ）情報が、要求するサービスに対して最小の精度および／または信頼性レベルを満たす場合に、ＵＥは、更新されたロケーション情報に対するクエリを提示することを延期してもよい。ＢＡＰ情報は、ＳＰＳロケーションデータから設定されてもよく、２次ソース（例えば、センサデータ、ワイヤレスローカルエリアネットワーク（ＷＬＡＮ）ベースの情報、または、ネットワーク提供ロケーション情報）を使用して、ＢＡＰ情報を更新してもよい。ロケーション情報に対する要求が受信されるときに、ＳＰＳデバイスがクエリされるべきと決定する前に、ＵＥは、精度および／または信頼性についてＢＡＰ情報を調査できる。ＢＡＰ情報が許容可能なレベルの精度および／または信頼性を有する場合、ＵＥは、要求に応答して、ＢＡＰ情報を戻してもよい。そうでない場合、ＵＥは、ＳＰＳデバイスを使用して、ロケーション情報を決定し、要求に応答して、ＳＰＳロケーション情報を戻してもよい。ＢＡＰ情報の精度および／または信頼性が許容可能である場合、ＵＥは利用可能な情報を使用する。ＵＥは、ＳＰＳ（例えば、ＧＰＳ、北斗等）エンジンロケーション情報と比較して、ＢＡＰに対して、異なるレベルの精度および／または信頼性を使用してもよい。
【００６４】
［００７２］
ＢＡＰ情報が許容可能なレベルの精度および／または信頼性を有するか否かの決定、または、ＢＡＰ情報の精度および／または信頼性を更新することは、内部および外部ソースからの利用可能な入力に基づいていてもよい。例えば、動き検出器センサまたはジャイロスコープのような内部ソースは、ＵＥが実質的に静的であるかまたは動いているかを決定するために使用できる。ＵＥが実質的に静的であると決定される場合、（例えば、最後に知られたロケーションの）ＢＡＰ情報を高い信頼の程度で再利用できるとＵＥは決定できる。ＵＥが高速移動シナリオにある場合、ＵＥは、ＢＡＰ情報が、再使用のための精度および／または信頼性しきい値を下回るかもしれないと決定することができ、例えば、より高い精度および電力使用プロフィールを有するデバイスを使用して（例えば、ＢＡＰ／センサデータからロケーション情報を導出するよりもむしろＳＰＳデバイスを使用して）、ＵＥのロケーションを繰り返し追跡することによって課せられる高電力ドローによる、ロケーション情報収集をオプトアウトすることを決めてもよい。ネットワークフィードバックのような外部ソースも使用して、ＢＡＰ情報が精度および／または信頼性の許容可能なレベルを有するか否かを決定してもよい。短いハンドオーバー期間は、高速移動シナリオを示唆するかもしれず、これは、ＢＡＰ信頼性の急速な劣化を伴うかもしれない。高干渉およびチャネルフェージングパラメータは、ＳＰＳロックを取得するには、（対応する高い電力使用量を有する）大量の時間の間、ＳＰＳデバイスに携わることを伴う環境で、例えば、ダウンタウン環境で、ＵＥが動作していることを示唆するかもしれない。
【００６５】
［００７３］
上記で着目したように、いくつかのケースでは、ＵＥの１つ以上の特性を決定することは、バッテリーレベルまたは充電状態のうちの少なくとも１つを決定することを含んでいてもよい。例えば、バッテリーレベルがしきいを超えていると決定される場合、または、バッテリーが充電されていると決定される場合、１つ以上のパラメータを調節することは、ＳＰＳ受信機をイネーブルにすることを含んでいてもよい。いくつかのケースでは、ＵＥの１つ以上の特性を決定することは、ロケーション情報のための要求の頻度を決定することも含んでいてもよい。いくつかのケースでは、ＵＥの１つ以上の特性を決定することは、ＵＥが現在、以前に知られていたロケーションにあると決定することを含んでいてもよい。ＵＥの１つ以上の特性を決定することは、データ使用しきい値を決定することを含んでいてもよい。例えば、ＵＥがデータ使用しきい値より下で動作していると決定される場合、ＵＥは、ワイヤレス広域ネットワーク（ＷＷＡＮ）データサービスを使用して、ロケーション情報を要求できる回数を調節できる。
【００６６】
［００７４］
本開示のいくつかの態様にしたがうと、図７は、ＢＡＰ情報が精度および／または信頼性の許容可能なレベルを有しているか否かを決定し、ＳＰＳ受信機または他のロケーション情報デバイスからの情報に基づいて、ロケーション情報を更新するように実行してもよい、動作７００の例示的なフローチャートを図示している。動作７００は、７１０で開始し、ＵＥは、現在ロケーション情報の精度および／または信頼性をしきい値と比較する。現在ロケーション情報の精度および／または信頼性がしきい値を下回る場合、動作７００は７２０に進む。
【００６７】
［００７５］
７２０において、ＵＥは、衛星ポジショニングシステム（ＳＰＳ）受信機からロケーション情報を取得するために十分な電力が存在するか否かを決定する。例では、バッテリーレベルしきい値、ならびに／あるいは、ＵＥがライン電力に接続されているか、またはそうでなければ、充電状態であるかに基づいて、ＵＥは、ＳＰＳ受信機からロケーション情報を取得するのに十分な電力が存在するか否かを決定してもよい。ＳＰＳ受信機からロケーション情報を取得するのに十分な電力がない場合、動作７００は７３０に進み、ＵＥは、非ＳＰＳロケーション情報デバイスからロケーション情報を取得する。例えば、ＵＥは、ＳＰＳ受信機よりも少ない電力を使用しながら、ＷＷＡＮベースのロケーション決定（例えば、Ａ−ＧＰＳ）から比較的正確なロケーション情報を取得してもよい。そうではなく、ＳＰＳ受信機からロケーション情報を取得するのに十分な電力がある場合、動作は７００、７４０に進み、ＵＥは、ＳＰＳ受信機からロケーション情報を取得する。
【００６８】
［００７６］
現在のロケーション情報の精度がしきい値を超えている場合、ＵＥは、比較的高い精度および消費電力プロフィールを有するロケーション情報ソース（例えば、ＳＰＳ受信機）から新しいロケーション情報を取得する必要はない。したがって、動作７００は７５０に進み、ＵＥは、１つ以上の低電力ロケーション情報デバイスから集められた情報に基づいて、現在のロケーション情報を更新する。例えば、現在のロケーション情報の精度が精度しきい値を超える場合、ＵＥは、さまざまなセンサから集められた情報に基づいて、現在のロケーション情報を更新してもよい。７６０において、ＵＥは、ロケーション情報を報告する。
【００６９】
［００７７］
いくつかのケースでは、ＵＥは、ＳＰＳ受信機がロケーション情報を取得するためにアクティブであってもよい時間量を制御してもよい。図８は、本開示のいくつかの態様にしたがって、ＳＰＳ受信機のアクティブ化とロケーション情報の取得との間に経過した時間量に基づいて、ＳＰＳ受信機アクティビティを調節するためにＵＥによって実行されてもよい、例示的な動作８００を図示している。動作８００は、８１０で開始してもよく、ＵＥは、ＳＰＳ受信機からのロケーション情報を要求する。８２０では、ＵＥは、ＳＰＳ受信機からロケーション情報を取得するために経過した時間を測定する。いくつかのケースでは、ＵＥは、ＳＰＳ受信機がアクティブであってもよい最大時間量を特定するタイムアウト値を設定してもよく、測定された時間は、ＳＰＳ受信機からロケーション情報を取得するために経過した時間量またはタイムアウト値のいずれかであってもよい。
【００７０】
［００７８］
ＵＥが、ＳＰＳ受信機からロケーション情報を取得するために経過した時間を測定した後、動作８００は８３０に進み、ＵＥは、経過した時間をタイムアウト値と比較する。経過時間がしきい値未満である場合、動作８００は８４０に進み、ＵＥは、タイムアウト値を変更することなく、将来のロケーション決定に対するＳＰＳ受信機の使用を許可することを継続する。そうでなければ、動作８００は８５０に進み、ＵＥは、将来のＳＰＳロケーション決定のために、より少ない時間量にタイムアウト値を設定する。したがって、ＵＥが、ロケーション情報を取得するためにＳＰＳ受信機を使用しようと試行するときに、ＳＰＳ受信機は、ロケーション情報を報告する前に、低減された時間量の間、動作してもよい。
【００７１】
［００７９］
いくつかのケースでは、１つ以上のパラメータを調節することは、１つ以上のロケーション情報ソースからＵＥが情報を要求できる頻度を調節することを含んでいてもよい。図９は、本開示のいくつかの態様にしたがって、ロケーション情報が要求される頻度を修正するために実行されてもよい例示的な動作９００を図示している。動作９００は、９１０で開始してもよく、ＵＥは、例えば、ＵＥのスピードを測定し、またはそうでなければ、取得する。９２０において、ＵＥは、ＵＥのスピードを高スピードしきい値と比較する。ＵＥのスピードが高スピードしきい値を下回るまたは等しい場合、動作９００は９３０に進み、ＵＥは、ＵＥのスピードを低スピードしきい値と比較する。ＵＥのスピードが低スピードしきい値未満である場合、ＵＥは静的である、または、実質的に静的である（例えば、部屋または建物内で動いている）と想定できる。したがって、動作は９４０に進み、ＵＥは、静的ＵＥ状態に対応する値にロケーション要求頻度を設定する。ＵＥが静的である、または、実質的に静的であることから、ＵＥのロケーションは比較的一定であり、ＵＥは、ロケーション情報を頻繁に更新し報告する必要がない。
【００７２】
［００８０］
ＵＥのスピードが高スピードしきい値より遅いまたは等しいが、低スピードしきい値より速いまたは等しい場合に、ＵＥは低い速度で動いていると想定することができる。したがって、動作９００は９５０に進み、ＵＥは、低速度ＵＥに対応する値にロケーション要求頻度を設定する。この値は、一般的に、結果として、ＵＥが不動または静的状態にあるときよりも、より頻繁なロケーション情報要求となるが、ＵＥが高速で動いているときよりも、より少ない頻度のロケーション情報要求となる。
【００７３】
［００８１］
ＵＥのスピードが高スピードしきい値を超える場合、動作９００は、９２０から９６０に進み、ＵＥは、高速度ＵＥに対応する値にロケーション要求頻度を設定する。ＵＥは、急速にロケーションを変更するかもしれないことから、ロケーション情報の更新および報告は、ＵＥが低速度で移動するときよりもより頻繁に生じるかもしれない。
【００７４】
［００８２］
さまざまな異なるテクノロジーおよび技術のうちのいずれかを使用して情報および信号を表してもよいことを、当業者は理解するだろう。例えば、上記の説明全体に渡って参照されるかもしれない、データ、命令、コマンド、情報、信号、ビット、シンボル、およびチップは、電圧、電流、電磁波、磁界または磁粒、周波数、光界または光粒、あるいはこれらの任意の組み合わせにより表してもよい。
【００７５】
［００８３］
ソフトウェア、ファームウェア、ミドルウェア、マイクロコード、ハードウェア記述言語、または別の名称で呼ばれるかどうかにかかわらず、ソフトウェアは、命令、命令のセット、コード、コードセグメント、プログラムコード、プログラム、サブプログラム、ソフトウェアモジュール、アプリケーション、ソフトウェアアプリケーション、ソフトウェアパッケージ、ファームウェア、ルーチン、サブルーチン、オブジェクト、実行ファイル、実行スレッド、プロシージャ、関数、等を意味するように広く解釈すべきである。当業者は、ここでの開示に関連して説明したさまざまな例示的な論理ブロック、モジュール、回路およびアルゴリズムのステップが、ハードウェア、ソフトウェア、または、これらの組み合わせとして実現してもよいことをさらに認識するだろう。ハードウェアとソフトウェアとのこの互換性を明確に示すために、さまざまな実例となるコンポーネント、ブロック、モジュール、回路、およびステップを、一般的にそれらの機能性に関して上記で説明した。このような機能性をハードウェアとして実現するか、またはソフトウェアとして実現するかは、特定のアプリケーションと全体的なシステムに課せられている設計制約とに依存する。熟練者は、各特定のアプリケーションに対してさまざまな方法で、説明した機能性を実現するかもしれないが、このようなインプリメンテーションの決定は、本開示の範囲から逸脱をもたらすと解釈すべきでない。
【００７６】
［００８４］
ここでの開示に関連して説明した、さまざまな実例となる論理ブロック、モジュール、および回路は、ここで説明した機能を実行するように設計された、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいはそれらの任意の組み合わせを用いて、実現または実行してもよい。汎用プロセッサはマイクロプロセッサであってもよいが、代替実施形態では、プロセッサは、任意の従来のプロセッサ、制御装置、マイクロ制御装置、または状態機械であってもよい。プロセッサはまた、例えば、ＤＳＰとマイクロプロセッサとの組み合わせ、複数のマイクロプロセッサ、ＤＳＰコアに関連する１つ以上のマイクロプロセッサ、または、他の何らかのこのようなコンフィギュレーションである、コンピューティングデバイスの組み合わせとして実現してもよい。
【００７７】
［００８５］
ここでの開示に関連して説明した方法またはアルゴリズムのステップは、ハードウェアで直接的に、プロセッサにより実行されるソフトウェアモジュールで、または２つの組み合わせで具現化してもよい。ソフトウェアモジュールは、ＲＡＭメモリ、フラッシュメモリ、ＲＯＭメモリ、ＥＰＲＯＭ（登録商標）メモリ、ＥＥＰＲＯＭ（登録商標）メモリ、ＰＣＭ（位相変更メモリ）、レジスタ、ハードディスク、リムーバブルディスク、ＣＤ−ＲＯＭ、または、技術的に既知である他の何らかの形態の記憶媒体中に存在してもよい。例示的な記憶媒体は、プロセッサが記憶媒体から情報を読み取ったり、記憶媒体に情報を書き込んだりできるように、プロセッサに結合されている。代替実施形態では、記憶媒体は、プロセッサと一体化されていてもよい。プロセッサおよび記憶媒体は、ＡＳＩＣ中に存在してもよい。ＡＳＩＣは、ユーザ端末中に存在してもよい。代替実施形態では、プロセッサおよび記憶媒体は、ユーザ端末中のディスクリートコンポーネントとして存在してもよい。
【００７８】
［００８６］
１つ以上の例示的な設計では、説明した機能は、ハードウェア、ソフトウェア、または、これらの組み合わせで実現されてもよい。ソフトウェアで実現する場合、機能は、１つ以上の命令またはコードとしてコンピュータ読取可能媒体上に記憶されていてもよく、あるいは、１つ以上の命令またはコードとしてコンピュータ読取可能媒体上で送信されてもよい。コンピュータ読取可能媒体は、１つの場所から別の場所へのコンピュータプログラムの転送を促進する任意の媒体を含む、コンピュータ記憶媒体および通信媒体の両方を含んでいる。記憶媒体は、汎用コンピュータまたは特殊目的コンピュータによりアクセスすることができる任意の利用可能な媒体であってもよい。限定ではなく例として、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用されることができ、汎用コンピュータまたは特殊目的コンピュータ、もしくは汎用プロセッサまたは特殊目的プロセッサによってアクセスできる他の何らかの媒体を備えることができる。また、任意接続は、コンピュータ可読媒体と適切に呼ばれる。例えば、ソフトウェアが、ウェブサイトから、サーバから、あるいは、同軸ケーブルを、光ファイバケーブルを、撚り対を、デジタル加入者線（ＤＳＬ）を、または、赤外線、無線、マイクロ波のようなワイヤレステクノロジーを使用する他の遠隔ソースから送信される場合、同軸ケーブルや、光ファイバケーブルや、撚り対や、ＤＳＬや、または、赤外線、無線、マイクロ波のようなワイヤレステクノロジーは、媒体の定義中に含まれる。ここで使用したようなディスク（ｄｉｓｋおよびｄｉｓｃ）は、コンパクトディスク（ＣＤ）、レーザーディスク（登録商標）、光ディスク、デジタル汎用ディスク（ＤＶＤ）、フロッピー（登録商標）ディスク、およびブルーレイ（登録商標）ディスクを含むが、通常、ディスク（ｄｉｓｋ）はデータを磁気的に再生する一方で、ディスク（ｄｉｓｃ）はデータをレーザにより光学的に再生する。上記の組み合わせもまた、コンピュータ読取可能媒体の範囲内に含まれるべきである。さらに、用語「または」は、排他的な「または」よりむしろ、包含的な「または」を意味することを意図している。すなわち、特に指定がない限り、または、文脈から明らかでない限り、例えば「ＸがＡまたはＢを用いる」というフレーズは、自然な包含的順列のうちのいずれかを意味することを意図している。すなわち、例えば「ＸがＡまたはＢを用いる」というフレーズは、以下の事例、ＸがＡを用いる、ＸがＢを用いる、または、ＸがＡおよびＢの両方とも用いる、のうちのいずれによっても満たされる。加えて、本出願および添付した特許請求の範囲中で使用しているような冠詞「ａ」および「ａｎ」は、特に指定がない限り、または、単数形に向けられている文脈から明らかでない限り、一般的に、「１つ以上」を意味すると解釈すべきである。
【００７９】
［００８７］
本開示の先の説明は、任意の当業者が本開示を製造または使用することを可能にするように提供されている。本開示に対するさまざまな改良は、当業者に容易に明らかとなり、ここで規定される包括的な原理は、本開示の精神または範囲から逸脱することなく他のバリエーションに適用してもよい。したがって、本開示は、ここで説明した例および設計に限定されるように意図してはおらず、ここで開示した原理および新規の特徴と一致する最も広い範囲が与えられるべきである。
以下に、本願出願の当初の特許請求の範囲に記載された発明を付記する。
［１］  ユーザ機器（ＵＥ）によるワイヤレス通信のための方法において、
前記ＵＥの１つ以上の特性を決定することと、
前記ＵＥの決定した１つ以上の特性に基づいて、ロケーション情報報告の１つ以上のパラメータを調節することとを含む方法。
［２］  前記ＵＥの１つ以上の特性を決定することは、バッテリーレベルまたは充電状態のうちの少なくとも１つを決定することを含む［１］記載の方法。
［３］  前記バッテリーレベルまたは充電状態のうちの少なくとも１つを決定することは、前記バッテリーレベルがしきい値を超えていることを決定すること、または、バッテリーが充電されていることを決定することを含み、
前記１つ以上のパラメータを調節することは、衛星ポジショニングシステム（ＳＰＳ）受信機をイネーブルすることを含む［２］記載の方法。
［４］  前記ＵＥの１つ以上の特性を決定することは、ロケーション情報に対する要求の頻度を決定することを含む［１］記載の方法。
［５］  前記ＵＥの１つ以上の特性を決定することは、前記ＵＥが現在、以前に知られていたロケーションにあることを決定することを含む［１］記載の方法。
［６］  前記ＵＥの１つ以上の特性を決定することは、データ使用しきい値を決定することを含む［１］記載の方法。
［７］  前記１つ以上のパラメータを調節することは、前記決定したデータ使用しきい値に基づいて、ワイヤレス広域ネットワーク（ＷＷＡＮ）データサービスを使用して、前記ＵＥがロケーション情報を要求できる回数を調節することを含む［６］記載の方法。
［８］  前記１つ以上のパラメータを調節することは、ロケーション精度の許容可能なレベルを調節することを含む［１］記載の方法。
［９］  前記１つ以上のパラメータを調節することは、前記ＵＥが１つ以上のロケーション決定デバイスからのロケーション情報を要求できる頻度を調節することを含む［１］記載の方法。
［１０］  前記１つ以上のパラメータを調節することは、サービス期間の間に、前記ＵＥができるロケーション情報に対する要求の最大数を調節することを含む［１］記載の方法。
［１１］  ユーザ機器（ＵＥ）によるワイヤレス通信のための装置において、
少なくとも１つのプロセッサと、
前記少なくとも１つのプロセッサに結合されているメモリとを具備し、
前記少なくとも１つのプロセッサは、
前記ＵＥの１つ以上の特性を決定するようにと、
前記ＵＥの決定した１つ以上の特性に基づいて、ロケーション情報報告の１つ以上のパラメータを調節するように構成されている装置。
［１２］  前記少なくとも１つのプロセッサは、バッテリーレベルまたは充電状態のうちの少なくとも１つを決定するようにさらに構成されている［１１］記載の装置。
［１３］  前記少なくとも１つのプロセッサは、前記バッテリーレベルがしきい値を超えていることを決定するように、または、バッテリーが充電されていることを決定するように、
衛星ポジショニングシステム（ＳＰＳ）受信機をイネーブルするようにさらに構成されている［１２］記載の装置。
［１４］  前記少なくとも１つのプロセッサは、ロケーション情報に対する要求の頻度を決定するようにさらに構成されている［１１］記載の装置。
［１５］  前記少なくとも１つのプロセッサは、前記ＵＥが現在、以前に知られていたロケーションにあることを決定するようにさらに構成されている［１１］記載の装置。
［１６］  前記少なくとも１つのプロセッサは、データ使用しきい値を決定するようにさらに構成されている［１１］記載の装置。
［１７］  前記少なくとも１つのプロセッサは、前記決定したデータ使用しきい値に基づいて、ワイヤレス広域ネットワーク（ＷＷＡＮ）データサービスを使用して、前記ＵＥがロケーション情報を要求できる回数を調節するようにさらに構成されている［１６］記載の装置。
［１８］  前記少なくとも１つのプロセッサは、ロケーション精度の許容可能なレベルを調節するようにさらに構成されている［１１］記載の装置。
［１９］  前記少なくとも１つのプロセッサは、前記ＵＥが１つ以上のロケーション決定デバイスからのロケーション情報を要求できる頻度を調節するようにさらに構成されている［１１］記載の装置。
［２０］  前記少なくとも１つのプロセッサは、サービス期間の間に、前記ＵＥができるロケーション情報に対する要求の最大数を調節するようにさらに構成されている［１１］記載の装置。
［２１］  ユーザ機器（ＵＥ）によるワイヤレス通信のための装置において、
前記ＵＥの１つ以上の特性を決定する手段と、
前記ＵＥの決定した１つ以上の特性に基づいて、ロケーション情報報告の１つ以上のパラメータを調節する手段とを具備する装置。
［２２］  前記ＵＥの１つ以上の特性を決定する手段は、バッテリーレベルまたは充電状態のうちの少なくとも１つを決定する手段を備える［２１］記載の装置。
［２３］  前記バッテリーレベルまたは充電状態のうちの少なくとも１つを決定する手段は、前記バッテリーレベルがしきい値を超えていることを決定する手段、または、バッテリーが充電されていることを決定する手段を備え、
前記１つ以上のパラメータを調節する手段は、衛星ポジショニングシステム（ＳＰＳ）受信機をイネーブルする手段を備える［２２］記載の装置。
［２４］  前記ＵＥの１つ以上の特性を決定する手段は、ロケーション情報に対する要求の頻度を決定する手段を備える［２１］記載の装置。
［２５］  前記ＵＥの１つ以上の特性を決定する手段は、前記ＵＥが現在、以前に知られていたロケーションにあることを決定する手段を備える［２１］記載の装置。
［２６］  前記ＵＥの１つ以上の特性を決定する手段は、データ使用しきい値を決定する手段を備える［２１］記載の装置。
［２７］  前記１つ以上のパラメータを調節する手段は、前記決定したデータ使用しきい値に基づいて、ワイヤレス広域ネットワーク（ＷＷＡＮ）データサービスを使用して、前記ＵＥがロケーション情報を要求できる回数を調節する手段を備える［２６］記載の装置。
［２８］  前記１つ以上のパラメータを調節する手段は、ロケーション精度の許容可能なレベルを調節する手段を備える［２１］記載の装置。
［２９］  前記１つ以上のパラメータを調節する手段は、前記ＵＥが１つ以上のロケーション決定デバイスからのロケーション情報を要求できる頻度を調節する手段を備える［２１］記載の装置。
［３０］  ユーザ機器（ＵＥ）によるワイヤレス通信のためのコンピュータ読取可能媒体において、
コードを具備し、
前記コードは、少なくとも１つのプロセッサにより実行されるときに、前記ＵＥに、
前記ＵＥの１つ以上の特性を決定させ、
前記ＵＥの決定した１つ以上の特性に基づいて、ロケーション情報報告の１つ以上のパラメータを調節させるコンピュータ読取可能媒体。
【図１】
0006567656.tif 000002
【図２】
0006567656.tif 000003
【図３】
0006567656.tif 000004
【図４】
0006567656.tif 000005
【図５】
0006567656.tif 000006
【図６】
0006567656.tif 000007
【図７】
0006567656.tif 000008
【図８】
0006567656.tif 000009
【図９】
0006567656.tif 000010